(57)【要約】【課題】コンタクトガラスを上方から覗き込むことが困難なユーザーが画像形成装置を使用する場合であっても、コンタクトガラス上における原稿のセット状態をユーザーに確認させることが可能な画像形成装置を提供する。【解決手段】画像形成装置は、コンタクトガラスを読み取って画像データを生成する画像読取部と、原稿カバーと、原稿カバーの開閉作業を補助する補助機構と、制御部と、を備え、制御部は、補助機構による開閉動作によって原稿カバーが開けられた状態になっているとき、画像読取部に読み取りを行わせ、原稿カバーが開けられた状態での読み取りによって生成された画像データの画像に対応する開状態画像を含む確認用画面を表示デバイスに表示させる。【選択図】図５
2020017845.tif 000002
【特許請求の範囲】
【請求項１】
原稿がセットされるコンタクトガラスを含み、前記コンタクトガラスを読み取って画像データを生成する画像読取部と、
前記コンタクトガラスに対して開閉するよう筺体に回動可能に支持され、閉じられているときには前記コンタクトガラスを覆い、開けられることによって前記コンタクトガラスを露出させる原稿カバーと、
前記原稿カバーを開閉させる開閉動作を行うことにより、ユーザーによる前記原稿カバーの開閉作業を補助する補助機構と、
前記コンタクトガラス上における原稿のセット状態を確認するための確認用画面を表示デバイスに表示させる制御部と、を備え、
前記制御部は、前記補助機構による前記開閉動作によって前記原稿カバーが開けられた状態になっているとき、前記画像読取部に前記コンタクトガラスの読み取りを行わせ、前記原稿カバーが開けられた状態での前記コンタクトガラスの読み取りによって生成された前記画像データの画像に対応する表示用画像である開状態画像を生成し、前記開状態画像を含む画面を前記確認用画面として前記表示デバイスに表示させることを特徴とする画像形成装置。
【請求項２】
前記制御部は、前記補助機構による前記開閉動作によって前記原稿カバーが開けられた状態になっているとき、前記画像読取部に前記コンタクトガラスの読み取りを繰り返し行わせ、前記原稿カバーが開けられた状態での前記コンタクトガラスの読み取りによって前記画像データが生成されるごとに前記開状態画像を生成し、最新の前記開状態画像を含む前記確認用画面を前記表示デバイスに表示させることを特徴とする請求項１に記載の画像形成装置。
【請求項３】
前記制御部は、前記補助機構による前記開閉動作によって前記原稿カバーが閉じられた状態になったとき、前記画像読取部に前記コンタクトガラスの読み取りを行わせ、前記原稿カバーが閉じられた状態での前記コンタクトガラスの読み取りによって生成された前記画像データの画像に対応する表示用画像である閉状態画像を生成し、前記閉状態画像を含む画面を前記確認用画面として前記表示デバイスに表示させることを特徴とする請求項１または２に記載の画像形成装置。
【請求項４】
前記制御部は、前記原稿カバーが閉じられた状態での前記コンタクトガラスの読み取りによって生成された前記画像データのうち原稿の領域外の画素を所定色の画素に変換する変換処理を行い、前記変換処理後の前記画像データに基づき前記閉状態画像を生成することを特徴とする請求項３に記載の画像形成装置。
【請求項５】
前記コンタクトガラス上における原稿の正しいセット位置が予め定められており、
前記制御部は、前記セット位置を示す補助画像を含む前記確認用画面を前記表示デバイスに表示させることを特徴とする請求項１〜４のいずれか１項に記載の画像形成装置。
【請求項６】
前記セット位置は原稿サイズごとに予め定められており、
前記制御部は、ユーザー指定の前記原稿サイズに対応する前記セット位置を示す前記補助画像だけを前記確認用画面に含めることを特徴とする請求項５に記載の画像形成装置。
【請求項７】
前記補助機構は、
ユーザーにより操作される開閉ボタンと、
前記原稿カバーを回動させるモーターと、を含み、
前記補助機構は、前記開閉ボタンが操作されると、前記モーターの駆動力によって前記原稿カバーを回動させる動作を前記開閉動作として行うことを特徴とする請求項１〜６のいずれか１項に記載の画像形成装置。
【請求項８】
前記補助機構は、
ユーザーにより操作されるレバーと、
前記コンタクトガラスの原稿がセットされるセット面に対して垂直な上下方向に移動可能に支持され、前記レバーの動きに連動して前記上下方向に移動し、前記上下方向に移動することによって前記原稿カバーを回動させる昇降部材と、を含み、
前記補助機構は、前記レバーが操作されると、前記昇降部材を前記上下方向に移動させて前記原稿カバーを回動させる動作を前記開閉動作として行うことを特徴とする請求項１〜６のいずれか１項に記載の画像形成装置。
【請求項９】
ユーザーから操作を受け付ける操作パネルを備え、
前記確認用画面が表示される前記表示デバイスが前記操作パネルに設置されていることを特徴とする請求項１〜８のいずれか１項に記載の画像形成装置。
【請求項１０】
請求項１〜９のいずれか１項に記載の画像形成装置と、
前記画像形成装置に通信可能に接続される電子機器と、を備え、
前記確認用画面が表示される前記表示デバイスが前記電子機器に設置されていることを特徴とするシステム。
【発明の詳細な説明】
【技術分野】
【０００１】
本発明は、画像形成装置およびシステムに関する。
【背景技術】
【０００２】
原稿の読み取りを伴うジョブの実行が可能な画像形成装置には、コンタクトガラスが設置される。読取対象の原稿はコンタクトガラス上にセットされる。画像形成装置は、コンタクトガラス上の原稿を読み取って画像データを生成する。
【０００３】
通常、画像形成装置には、コンタクトガラスに対して開閉する原稿カバーが筐体に回動可能に設置される。コンタクトガラス上に原稿をセットするときには、原稿カバーを開ける必要がある。
【０００４】
ここで、原稿カバーを完全に開けるには、原稿カバーの自由端（回転軸とは反対側の端部）を比較的高い位置まで持ち上げなければならない。したがって、車椅子使用者や低身長者（子供など）にとっては、原稿カバーを開閉する開閉作業は大変である。
【０００５】
そこで、従来、ユーザーによる原稿カバーの開閉作業を補助する補助機構を備えた画像形成装置が提案されている。このような画像形成装置は、たとえば、特許文献１に開示されている。
【０００６】
特許文献１の画像形成装置は、画像形成装置の側面に設置されたレバーを備える。原稿カバーは、レバーの動きに連動して回動する。これにより、ユーザーは自身が原稿カバーの自由端を高い位置まで持ち上げなくても、原稿カバーを開けることができる。
【先行技術文献】
【特許文献】
【０００７】
【特許文献１】特開２００８−１１８５２８号公報
【発明の概要】
【発明が解決しようとする課題】
【０００８】
原稿の読み取りを伴うジョブでは、コンタクトガラス上にセットされた原稿の読み取りが行われる。コンタクトガラス上の原稿が正しい位置にセットされていなければ、出力画像が傾いたり一部が欠損したりする。このような不都合の発生を回避するため、ユーザーはコンタクトガラス上の原稿のセット状態を確認しつつ、コンタクトガラス上に原稿をセットする作業を行う。
【０００９】
原稿のセット状態を確認するには、コンタクトガラスを上方から覗き込まなければならない。しかし、上記したように、画像形成装置は車椅子使用者や低身長者も使用し得る。コンタクトガラスを上方から覗き込むのは、車椅子使用者や低身長者にとっては難しい。したがって、画像形成装置にジョブを実行させようとしているユーザーが車椅子使用者や低身長者であった場合には、コンタクトガラス上の原稿が正しくセットされていない状態で、ジョブが実行されるという不都合が生じ得る。
【００１０】
本発明は、上記課題を解決するためになされたものであり、コンタクトガラスを上方から覗き込むことが困難なユーザーが画像形成装置を使用する場合であっても、コンタクトガラス上における原稿のセット状態をユーザーに確認させることが可能な画像形成装置およびシステムを提供することを目的とする。
【課題を解決するための手段】
【００１１】
上記目的を達成するため、本発明の第１の局面による画像形成装置は、原稿がセットされるコンタクトガラスを含み、コンタクトガラスを読み取って画像データを生成する画像読取部と、コンタクトガラスに対して開閉するよう筺体に回動可能に支持され、閉じられているときにはコンタクトガラスを覆い、開けられることによってコンタクトガラスを露出させる原稿カバーと、原稿カバーを開閉させる開閉動作を行うことにより、ユーザーによる原稿カバーの開閉作業を補助する補助機構と、コンタクトガラス上における原稿のセット状態を確認するための確認用画面を表示デバイスに表示させる制御部と、を備える。制御部は、補助機構による開閉動作によって原稿カバーが開けられた状態になっているとき、画像読取部にコンタクトガラスの読み取りを行わせ、原稿カバーが開けられた状態でのコンタクトガラスの読み取りによって生成された画像データの画像に対応する表示用画像である開状態画像を生成し、開状態画像を含む画面を確認用画面として表示デバイスに表示させる。
【００１２】
本発明の第２の局面によるシステムは、上記画像形成装置と、画像形成装置に通信可能に接続される電子機器と、を備え、確認用画面が表示される表示デバイスが電子機器に設置されている。
【００１３】
本発明の構成では、表示デバイスに確認用画面が表示される。確認用画面には開状態画像が含められる。したがって、コンタクトガラスを上方から覗き込まなくても、コンタクトガラス上における原稿のセット状態を確認することができる。これにより、車椅子使用者や低身長者（子供など）などコンタクトガラスを上方から覗き込むことが困難なユーザーにとっては利便性が良い。
【００１４】
ここで、本発明の構成では、画像形成装置に補助機構が設置される。補助機構は、ユーザーによる原稿カバーの開閉作業を補助するための機構である。したがって、補助機構を利用するユーザーは車椅子使用者や低身長者である場合が多い。
【００１５】
そこで、本発明の構成では、補助機構による開閉動作によって原稿カバーが開けられた状態になっているときに開状態画像を生成するための読み取りが行われる。これにより、不必要な読み取りが行われるのを抑制することができる。
【発明の効果】
【００１６】
本発明の構成では、コンタクトガラスを上方から覗き込むことが困難なユーザーが画像形成装置を使用する場合であっても、コンタクトガラス上における原稿のセット状態をユーザーに確認させることができる。
【図面の簡単な説明】
【００１７】
【図１】第１実施形態による複合機の構成を示す概略図
【図２】第１実施形態による複合機の画像読取部の構成を示す図
【図３】第１実施形態による複合機に設置された原稿カバーが閉状態から開状態に変化するときの図
【図４】第１実施形態による複合機の構成を示すブロック図
【図５】第１実施形態による複合機の制御部により行われる処理の流れを示すフローチャート
【図６】第１実施形態による複合機の制御部が生成する開状態画像について説明するための図
【図７】第１実施形態による複合機の操作パネルが表示する確認用画面（開状態画像を含む画面）を示す図
【図８】第１実施形態による複合機の制御部が生成する閉状態画像について説明するための図
【図９】第１実施形態による複合機の操作パネルが表示する確認用画面（閉状態画像を含む画面）を示す図
【図１０】第１実施形態による複合機に設置される補助機構の変形例について説明するための図
【図１１】第２実施形態によるシステムの構成を示すブロック図
【発明を実施するための形態】
【００１８】
本発明の一実施形態による画像形成装置について、スキャン機能やプリント機能など複数種の機能が搭載された複合機を例にとって説明する。
【００１９】
＜第１実施形態＞
（複合機の構成）
図１に示すように、第１実施形態の複合機１００は、画像読取部１および印刷部２を備える。また、複合機１００には、操作パネル３が設置される。
【００２０】
画像読取部１は、図２に示すように、コンタクトガラスＣＧを備える。コンタクトガラスＣＧは、セット面ＳＳを有する。コンタクトガラスＣＧは、画像読取部１の筐体１０の上面に形成された開口に設置される。コンタクトガラスＣＧのセット面ＳＳに対して垂直な方向は、複合機１００の上下方向と一致する。
【００２１】
コンタクトガラスＣＧのセット面ＳＳ上には、読取対象の原稿Ｄがセットされる。画像読取部１は、コンタクトガラスＣＧを読み取って画像データを生成する。コンタクトガラスＣＧ上に原稿Ｄがセットされている場合には、コンタクトガラスＣＧ上にセットされた原稿Ｄの読み取りが行われる。
【００２２】
画像読取部１は、光源１１、イメージセンサー１２、ミラー１３およびレンズ１４を備える。これら画像読取部１の各部材は、筐体１０の内部に収容される（コンタクトガラスＣＧの下方に配置される）。
【００２３】
光源１１は、複数のＬＥＤ素子（図示せず）を有する。複数のＬＥＤ素子は、主走査方向（図２の紙面に対して垂直な方向）にライン状に配列される。光源１１は、コンタクトガラスＣＧに向けて光を照射する。コンタクトガラスＣＧに向かう光はコンタクトガラスＣＧを透過する。コンタクトガラスＣＧのうち原稿Ｄがセットされた領域では、後述する原稿カバー１０１の開閉状態にかかわらず、コンタクトガラスＣＧを透過した光が原稿Ｄで反射される。コンタクトガラスＣＧのうち原稿Ｄがセットされていない領域では、原稿カバー１０１が閉じられていれば、コンタクトガラスＣＧを透過した光が原稿カバー１０１で反射され、原稿カバー１０１が開けられていれば、コンタクトガラスＣＧを透過した光は反射されない。
【００２４】
イメージセンサー１２は、主走査方向にライン状に並ぶ複数の光電変換素子を有する。イメージセンサー１２は、コンタクトガラスＣＧからの光を受光する。原稿Ｄや原稿カバー１０１で反射された光がイメージセンサー１２に向かって進行する。イメージセンサー１２は、コンタクトガラスＣＧからの光を受光すると、ライン単位で画素毎に光電変換して電荷を蓄積するとともに、蓄積電荷に応じたアナログ信号を出力する。
【００２５】
ミラー１３は、コンタクトガラスＣＧからの光をレンズ１４に向けて反射する。レンズ１４は、ミラー１３で反射された光を集光し、イメージセンサー１２に導く。
【００２６】
光源１１およびミラー１３は、主走査方向と直交する副走査方向に移動可能な移動枠１５に設置される。移動枠１５はワイヤー１６に連結される。ワイヤー１６は巻取ドラム１７に巻回される。巻取ドラム１７が回転すると、移動枠１５が副走査方向に移動する。すなわち、光源１１およびミラー１３が副走査方向に移動する。
【００２７】
また、図３に示すように、筐体１０には、原稿カバー１０１が取り付けられる。原稿カバー１０１は、コンタクトガラスＣＧのセット面ＳＳに対して開閉する。原稿カバー１０１を開閉可能にするため、原稿カバー１０１の装置背面側にはヒンジ軸１０１ａが設けられる。原稿カバー１０１のヒンジ軸１０１ａは、筐体１０の装置背面側に回転可能に支持される。これにより、原稿カバー１０１の装置正面側の部分を上下方向に持ち上げたり持ち下げたりすることにより、コンタクトガラスＣＧのセット面ＳＳに対して原稿カバー１０１を開閉させることができる。
【００２８】
原稿カバー１０１が閉じられているとき（図３の上図に示す状態のとき）、原稿カバー１０１によってコンタクトガラスＣＧのセット面ＳＳが覆われる。言い換えると、原稿カバー１０１によってコンタクトガラスＣＧのセット面ＳＳが塞がれる。この状態では、コンタクトガラスＣＧ上に原稿Ｄをセットする作業は行えない。一方で、原稿カバー１０１が開けられているとき（図３の下図に示す状態のとき）には、コンタクトガラスＣＧのセット面ＳＳが外部に露出される。この状態になると、コンタクトガラスＣＧ上に原稿Ｄをセットする作業を行える。
【００２９】
通常では、原稿Ｄの読み取りを伴うジョブ（コピージョブなど）を複合機１００に実行させるとき、コンタクトガラスＣＧ上に原稿Ｄをセットするため、ユーザーは原稿カバー１０１を開閉する開閉作業を行う。すなわち、原稿カバー１０１を開けた後、コンタクトガラスＣＧ上に原稿Ｄをセットしてから、原稿カバー１０１を閉じる、という一連の作業がユーザーによって行われる。
【００３０】
原稿Ｄの読み取りを伴うジョブでは、まず、ユーザーが原稿カバー１０１の開閉作業を行う。その結果、図２に示すように、コンタクトガラスＣＧ上に原稿Ｄがセットされ、原稿カバー１０１が閉じられた状態となる。ジョブが開始されると、移動枠１５が副走査方向（正面から見て左から右に向かう方向）に移動する。そして、移動枠１５が副走査方向に移動しているとき、光源１１がコンタクトガラスＣＧに向けて光を照射する。また、コンタクトガラスＣＧからの反射光の光電変換をイメージセンサー１２が連続して繰り返し行う。
【００３１】
なお、原稿Ｄを搬送する原稿搬送ユニットを原稿カバー１０１として用いてもよい。この場合には、原稿搬送ユニットにより自動搬送される原稿Ｄを読み取る搬送読取を画像読取部１に実行させることができる。
【００３２】
図１に戻り、印刷部２は、用紙搬送路２０に沿って用紙Ｐを搬送し、搬送中の用紙Ｐに画像を印刷する。図１では、用紙搬送路２０を破線で示す。コピージョブでは、原稿Ｄの画像データに基づく画像の用紙Ｐへの印刷が印刷部２により行われる。印刷部２は、給紙部２１、画像形成部２２および定着部２３を備える。
【００３３】
給紙部２１は、用紙カセットＣＡに収容された用紙Ｐを用紙搬送路２０に給紙する。用紙搬送路２０に給紙された用紙Ｐは用紙搬送路２０に沿って搬送される。画像形成部２２は、トナー像（画像）を形成し、搬送中の用紙Ｐにトナー像を転写（印刷）する。転写済みの用紙Ｐは定着部２３に向けて搬送される。定着部２３は、転写済みの用紙Ｐを加熱および加圧し、用紙Ｐにトナー像を定着させる。
【００３４】
操作パネル３は、タッチスクリーン３１およびハードウェアボタン３２を含む。タッチスクリーン３１は「表示デバイス」に相当する。タッチスクリーン３１は、画面を表示し、画面内のソフトウェアボタンに対する操作をユーザーから受け付ける。ハードウェアボタン３２は、操作パネル３に複数設けられる。たとえば、ハードウェアボタン３２としては、ジョブの実行指示をユーザーから受け付けるためのスタートボタンなどがある。
【００３５】
また、図４に示すように、複合機１００は、制御部４および記憶部５を備える。制御部４は、ＣＰＵを含む。制御部４は、制御用のプログラムおよびデータに基づき動作し、複合機１００の各部を制御するための処理を行う。記憶部５は、不揮発性メモリー（ＲＯＭ）および揮発性メモリー（ＲＡＭ）を含む。制御用のプログラムおよびデータは、ＲＯＭに記憶され、ＲＡＭに展開される。
【００３６】
画像読取部１は、制御部４に接続される。制御部４は、画像読取部１の制御を行う。制御部４は、光源１１の点消灯動作やイメージセンサー１２の読取動作を制御する。また、制御部４は、巻取ドラム１７を回転させるための巻取モーターＭＴを制御し、巻取ドラム１７の回転と回転停止とを切り替え、光源１１およびミラー１３が装着された移動枠１５を副走査方向に適切に移動させる。
【００３７】
また、制御部４は、画像読取部１による読み取りで得られた画像データ（イメージセンサー１２のアナログ出力）を増幅する処理や、画像データをアナログデータからデジタルデータに変換する処理などを行う。これら処理を行うデータ処理部が制御部４とは別に設けられてもよい。
【００３８】
また、制御部４は、画像読取部１による読み取りで得られた画像データに対して、種々の画像処理（拡大縮小処理や回転処理、濃度変換処理など）を行う。このような画像処理を制御部４に行わせるため、たとえば、制御部４には画像処理用回路や画像処理用メモリーが搭載される。
【００３９】
印刷部２は、制御部４に接続される。制御部４は、印刷部２の制御を行う。制御部４は、給紙部２１の給紙動作、画像形成部２２の画像形成動作および定着部２３の定着動作を制御する。
【００４０】
操作パネル３は、制御部４に接続される。制御部４は、操作パネル３の表示動作を制御するとともに、操作パネル３に対して行われた操作（タッチスクリーン３１に対するタッチ操作およびハードウェアボタン３２に対する押下操作）を検知する。
【００４１】
なお、複合機１００は、車椅子使用者や低身長者（子供など）も使用し得る。複合機１００を使用しようとしているユーザーが車椅子使用者や低身長者である場合、操作パネル３が高い位置に在ると、操作パネル３に対する操作が難しい。このため、操作パネル３をデフォルト位置よりも低い位置に引き下ろすことが可能になっていてもよい。また、操作パネル３の操作面の向きの変更が可能になっていてもよい。さらに、複合機１００の本体に対して操作パネル３が着脱可能になっていてもよい。
【００４２】
ここで、複合機１００は、補助機構６を備える。補助機構６は、ユーザーにより行われる原稿カバー１０１の開閉作業を補助する機構である。補助機構６は、開閉動作を行うことによって原稿カバー１０１を開閉させる。補助機構６の形態は特に限定されない。以下に、補助機構６の一例について説明する。
【００４３】
補助機構６は、開閉モーター６１（「モーター」に相当）、伝達機構６２、開閉センサー６３および開閉ボタン６４を備える。開閉モーター６１は、駆動することにより、原稿カバー１０１のヒンジ軸１０１ａを回動させる。すなわち、開閉モーター６１は、コンタクトガラスＣＧのセット面ＳＳに対して原稿カバー１０１を開閉させる。伝達機構６２は、ギアやクラッチを含み、開閉モーター６１とヒンジ軸１０１ａとを連結する。伝達機構６２は、モーター６１の駆動力をヒンジ軸１０１ａに伝達する。
【００４４】
開閉センサー６３は、原稿カバー１０１のヒンジ軸１０１ａの回転角を検知するためのセンサーである。たとえば、ロータリー型の可変抵抗器などを開閉センサー６３として用いることができる。開閉センサー６３は、ヒンジ軸１０１ａの回転角に応じた電圧信号を制御部４に出力する。制御部４は、開閉センサー６３の出力値に基づき、ヒンジ軸１０１ａの回転角を検知する。また、制御部４は、ヒンジ軸１０１ａの回転角に基づき、原稿カバー１０１の開閉状態（原稿カバー１０１が開けられた状態になっているか閉じられた状態になっているか）を判断する。
【００４５】
開閉ボタン６４は、補助機構６を用いて原稿カバー１０１を開閉しようとしているユーザーにより操作される。開閉ボタン６４の設置位置は特に限定されない。たとえば、複合機１００の側面に開閉ボタン６４が設置される（図１参照）。開閉ボタン６４の設置位置としては、操作パネル３の設置位置よりも低い位置であることが好ましい。ただし、操作パネル３に開閉ボタン６４が設置されてもよい。また、開閉ボタン６４に相当するソフトウェアボタンが操作パネル３に表示されてもよい。
【００４６】
ユーザーが開閉ボタン６４を操作すると、タクタイルスイッチなどのスイッチ部材（図示せず）が開閉ボタン６４によって押圧される。スイッチ部材が押圧された場合（ユーザーが開閉ボタン６４を操作した場合）、スイッチ部材から制御部４に対して操作信号が出力される。スイッチ部材から操作信号が出力されたか否に基づき、制御部４は、開閉ボタン６４に対する操作の有無を検知する。制御部４は、開閉ボタン６４が操作されたことを検知すると、補助機構６に開閉動作を行わせる。
【００４７】
制御部４は、原稿カバー１０１が閉じられた状態（図３の上図に示す状態）で、開閉ボタン６４が操作されたことを検知したとき、ユーザーが開操作を行ったと判断する。このとき、制御部４は、補助機構６に開閉動作を行わせる。補助機構６は、開閉動作として開動作を行う。
【００４８】
制御部４は、補助機構６に開動作を行わせるとき、開閉モーター６１を駆動し、原稿カバー１０１を開方向（原稿カバー１０１の装置正面側の部分が持ち上がる方向）に回動させる。制御部４は、原稿カバー１０１を開方向に回動させるとき、開閉センサー６３の出力値に基づき、原稿カバー１０１のヒンジ軸１０１ａの回転角を検知する。制御部４は、開閉センサー６３の出力値に基づき原稿カバー１０１の傾斜角度（コンタクトガラスＣＧのセット面ＳＳに対する原稿カバー１０１の角度）が所定角度になったと判断するまで、原稿カバー１０１を開方向に回動させ続ける。制御部４は、原稿カバー１０１の傾斜角度が所定角度のとき、原稿カバー１０１が開けられた状態（図３の下図に示す状態）になっていると判断する。
【００４９】
また、制御部４は、原稿カバー１０１が開けられた状態で、開閉ボタン６４が操作されたことを検知したとき、ユーザーが閉操作を行ったと判断する。このとき、制御部４は、補助機構６に開閉動作を行わせる。補助機構６は、開閉動作として閉動作を行う。
【００５０】
制御部４は、補助機構６に閉動作を行わせるとき、開閉モーター６１を駆動し、原稿カバー１０１を閉方向（原稿カバー１０１の装置正面側の部分が持ち下がる方向）に回動させる。制御部４は、原稿カバー１０１を閉方向に回動させるとき、開閉センサー６３の出力値に基づき、原稿カバー１０１のヒンジ軸１０１ａの回転角を検知する。制御部４は、原稿カバー１０１が閉じられた状態になるまで、原稿カバー１０１を閉方向に回動させ続ける。すなわち、制御部４は、原稿カバー１０１を開方向に回動させたときと同じ回転角だけ原稿カバー１０１を閉方向に回転させる。
【００５１】
複合機１００に補助機構６を設置することにより、開閉ボタン６４を操作するだけで、原稿カバー１０１が開閉される。したがって、ユーザーが車椅子使用者や低身長者であっても、当該ユーザーは容易に、原稿カバー１０１を開閉することができる。
【００５２】
（原稿セット作業の補助）
コピージョブなど原稿Ｄの読み取りを伴うジョブを複合機１００に実行させるには、コンタクトガラスＣＧ上に原稿Ｄをセットする原稿セット作業を行う必要がある。コンタクトガラスＣＧ上において原稿Ｄが正しい位置にセットされていない場合、複合機１００から出力される原稿画像の一部が欠損したり傾いたりする。したがって、通常では、ユーザーはコンタクトガラスＣＧ上における原稿Ｄのセット状態を確認しつつ原稿セット作業を行う。
【００５３】
コンタクトガラスＣＧ上における原稿Ｄのセット状態を確認するには、コンタクトガラスＣＧの上方からコンタクトガラスＣＧを覗き込まなければならない。コンタクトガラスＣＧを上方から覗き込むのは、車椅子使用者や低身長者にとっては難しい。このため、複合機１００にジョブを実行させようとしているユーザーが車椅子使用者や低身長者であれば、コンタクトガラスＣＧ上における原稿Ｄのセット状態を十分に確認することができないという不都合が生じ得る。
【００５４】
そこで、制御部４は、車椅子使用者や低身長者による原稿セット作業を補助する補助処理を行う。制御部４による補助処理が行われることにより、複合機１００にジョブを実行させようとしているユーザーが車椅子使用者や低身長者であっても、当該ユーザーはコンタクトガラスＣＧ上における原稿Ｄのセット状態を容易に確認することができるようになる。
【００５５】
以下に、図５に示すフローチャートを参照し、制御部４が行う補助処理の流れについて説明する。
【００５６】
図５に示すフローチャートのスタート時点では、原稿カバー１０１が閉じられている状態になっているとする。そして、この状態で、開閉ボタン６４が操作されたこと（ユーザーが開操作を行ったこと）を制御部４が検知したとき、図５に示すフローチャートがスタートする。なお、開閉ボタン６４が操作されたということは、原稿セット作業を行おうとしているユーザーが車椅子使用者や低身長者である可能性が高いということである。
【００５７】
ここで、原稿セット作業を行おうとしているユーザーが健常者や大人である場合には、当該ユーザーは自身で原稿カバー１０１を持ち上げたり持ち下げたりする。このため、開閉ボタン６４が操作されることはほとんどない。
【００５８】
ステップＳ１において、制御部４は、補助機構６に開動作を開始させる。そして、ステップＳ２において、制御部４は、開閉センサー６３の出力値に基づき、原稿カバー１０１が開けられた状態になったか否かを判断する。その結果、原稿カバー１０１が開けられた状態になったと制御部４が判断した場合には、ステップＳ３に移行し、原稿カバー１０１が未だ開けられた状態になっていないと制御部４が判断した場合には、ステップＳ２の処理が繰り返される。
【００５９】
ステップＳ３に移行すると、制御部４は、補助機構６による開動作を停止させる。そして、ステップＳ４において、制御部４は、コンタクトガラスＣＧの全面の読み取りを画像読取部１に開始させる。以下の説明では、ここでの画像読取部１による読み取り（原稿カバー１０１が開けられた状態でのコンタクトガラスＣＧの読み取り）を開状態読取と称する。
【００６０】
そして、ステップＳ５において、制御部４は、画像読取部１による開状態読取で得られた画像データの画像に対応する表示用画像である開状態画像Ｇ１（図６の下図参照）を生成する。すなわち、制御部４は、開状態読取で得られた画像データに基づき開状態画像Ｇ１の表示データを生成する。
【００６１】
たとえば、図６の上図に示すような位置に原稿Ｄがセットされた状態で、画像読取部１による開状態読取が行われたとする。この場合には、図６の下図に示すような開状態画像Ｇ１が制御部４によって生成される。以下の説明では、開状態画像Ｇ１のうち、原稿Ｄの画像を原稿画像と称し符号Ｇ１１を付す。また、開状態画像Ｇ１のうち、原稿Ｄの領域外の画像を原稿外画像と称し符号Ｇ１２を付す。図６の下図では、原稿画像Ｇ１１をドット柄で示し、原稿外画像Ｇ１２をハッチング柄で示す。
【００６２】
図６に示す例では、原稿Ｄが傾いている。したがって、開状態画像Ｇ１に含まれる原稿画像Ｇ１１も傾く。なお、開状態読取では、コンタクトガラスＣＧのうち、原稿Ｄの領域内では光が反射されるが、原稿Ｄの領域外では光は反射されない。したがって、原稿外画像Ｇ１２は黒色になる。
【００６３】
図５に戻り、ステップＳ５の処理後、ステップＳ６に移行する。ステップＳ６に移行すると、制御部４は、操作パネル３に指示し、開状態画像Ｇ１を配した確認用画面３００をタッチスクリーン３１に表示させる。開状態画像Ｇ１を配した確認用画面３００の一例を図７に示す。
【００６４】
操作パネル３に確認用画面３００が表示されることにより、コンタクトガラスＣＧを上方から覗き込まなくても、コンタクトガラスＣＧ上における原稿Ｄのセット状態を確認することができるようになる。このため、原稿Ｄのセット状態を確認しつつ原稿セット作業を行えるので、車椅子使用者や低身長者にとっては利便性が良い。
【００６５】
ここで、コンタクトガラスＣＧ上における原稿Ｄの正しいセット位置は原稿サイズごとに予め定められている。通常では、原稿Ｄの正しいセット位置を示す目盛がコンタクトガラスＣＧの周囲に付される。原稿Ｄの正しいセット位置をユーザーに認識させることができれば、原稿セット作業の作業性が向上する。
【００６６】
そこで、制御部４は、操作パネル３に指示し、コンタクトガラスＣＧ上における原稿Ｄの正しいセット位置を示す補助画像３０１をタッチスクリーン３１に表示させる。図７では、一例として、Ａ４サイズに対応する補助画像３０１およびＢ５サイズに対応する補助画像３０１を含む確認用画面３００を図示する。
【００６７】
なお、ユーザー指定の原稿サイズの設定受付が事前に行われてもよい。ユーザー指定の原稿サイズの設定受付は操作パネル３が行う。制御部４は、操作パネル３に確認用画面３００を表示させるとき、ユーザー指定の原稿サイズが設定されているか否かを判断する。その結果、ユーザー指定の原稿サイズが設定されていれば、制御部４は、ユーザー指定の原稿サイズに対応する補助画像３０１だけを操作パネル３００に表示させる。
【００６８】
図５に戻り、ステップＳ６の処理後、ステップＳ７に移行する。ステップＳ７に移行すると、制御部４は、開閉ボタン６４が操作されたか否か（ユーザーが閉操作を行ったか否か）を判断する。その結果、開閉ボタン６４が操作されていない（ユーザーが閉操作を行っていない）と制御部４が判断した場合には、ステップＳ４に移行する。この時点では、原稿カバー１０１は開けられた状態である。原稿カバー１０１が開けられた状態で、開閉ボタン６４が操作されていないということは、ユーザーが未だ原稿セット作業を行っている可能性が高い。
【００６９】
ステップＳ７からステップＳ４に移行すると、制御部４は、画像読取部１に開状態読取を再度行わせる（ステップＳ４の処理を行う）。また、制御部４は、画像読取部１に再度行わせた開状態読取で得られた画像データに基づき、開状態画像Ｇ１を新たに生成する（ステップＳ５の処理を行う）。そして、制御部４は、操作パネル３に指示し、従前の開状態画像Ｇ１の表示を停止させ、最新の開状態画像Ｇ１を配した確認用画面３００をタッチスクリーン３１に表示させる（ステップＳ６の処理を行う）。操作パネル３は、確認用画面３００に配する開状態画像Ｇ１を切り替える。
【００７０】
すなわち、制御部４は、原稿カバー１０１が開けられた状態になってから、開閉ボタン６４が操作されるまで（ユーザーが閉操作を行うまで）、画像読取部１に開状態読取を繰り返し行わせる。そして、制御部４は、画像読取部１による開状態読取によって画像データが生成されるごとに開状態画像Ｇ１を生成し、最新の開状態画像Ｇ１を配した確認用画面３００を操作パネル３に表示させる。
【００７１】
ステップＳ７において、開閉ボタン６４が操作された（ユーザーが閉操作を行った）と制御部４が判断した場合には、ステップＳ８に移行する。ステップＳ８に移行すると、制御部４は、画像読取部１による開状態読取を終了する。また、ステップ９において、制御部４は、補助機構６に閉動作を開始させる。そして、ステップＳ１０において、制御部４は、開閉センサー６４の出力値に基づき、原稿カバー１０１が閉じられた状態になったか否かを判断する。その結果、原稿カバー１０１が閉じられた状態になったと制御部４が判断した場合には、ステップＳ１１に移行し、原稿カバー１０１が未だ閉じられた状態になっていないと制御部４が判断した場合には、ステップＳ１０の処理が繰り返される。
【００７２】
ステップＳ１１に移行すると、制御部４は、補助機構６による閉動作を停止させる。そして、ステップＳ１２において、制御部４は、コンタクトガラスＣＧの全面の読み取りを画像読取部１に行わせる。以下の説明では、ここでの画像読取部１による読み取り（原稿カバー１０１が閉じられた状態でのコンタクトガラスＣＧの読み取り）を閉状態読取と称する。
【００７３】
そして、ステップＳ１３において、制御部４は、画像読取部１による閉状態読取で得られた画像データの画像に対応する表示用画像である閉状態画像Ｇ２（図８の下図参照）を生成する。すなわち、制御部４は、閉状態読取で得られた画像データに基づき閉状態画像Ｇ２の表示データを生成する。
【００７４】
たとえば、原稿カバー１０１が閉じられた状態になったとき（画像読取部１による閉状態読取が行われるとき）、図８の上図に示すような位置に原稿Ｄがセットされていたとする。この場合には、図８の下図に示すような閉状態画像Ｇ２が制御部４によって生成される。以下の説明では、閉状態画像Ｇ２のうち、原稿Ｄの画像を原稿画像と称し符号Ｇ２１を付す。また、閉状態画像Ｇ２のうち、原稿Ｄの領域外の画像を原稿外画像と称し符号Ｇ２２を付す。図８の下図では、原稿画像Ｇ２１をドット柄で示す。
【００７５】
ここで、原稿カバー１０１が閉じられた状態では、原稿Ｄの領域内では原稿Ｄによって光が反射され、原稿Ｄの領域外では原稿カバー１０１によって光が反射される。したがって、原稿外画像Ｇ２２が白色となる。原稿外画像Ｇ２２が白色になっていると、原稿画像Ｇ２１と原稿外画像Ｇ２２との区別がつき難い。
【００７６】
そこで、原稿外画像Ｇ２２の色が変換されてもよい。たとえば、制御部４は、画像読取部１による閉状態読取で得られた画像データのうち、原稿Ｄの領域外の画素を黒色（「所定色」に相当）の画素に変換する変換処理を行う。そして、制御部４は、変換処理後の画像データに基づき閉状態画像Ｇ２を生成する。これにより、原稿外画像Ｇ２２が黒色となり、原稿画像Ｇ２１との区別がつき易くなる。
【００７７】
図５に戻り、ステップＳ１３の処理後、ステップＳ１４に移行する。ステップＳ１４に移行すると、制御部４は、操作パネル３に指示し、閉状態画像Ｇ２を配した確認用画面３００をタッチスクリーン３１に表示させる。閉状態画像Ｇ２を配した確認用画面３００の一例を図９に示す。
【００７８】
第１実施形態の複合機１００（画像形成装置）は、上記のように、原稿ＤがセットされるコンタクトガラスＣＧを含み、コンタクトガラスＣＧを読み取って画像データを生成する画像読取部１と、コンタクトガラスＣＧに対して開閉するよう筺体１０に回動可能に支持され、閉じられているときにはコンタクトガラスＣＧを覆い、開けられることによってコンタクトガラスＣＧを露出させる原稿カバー１０１と、原稿カバー１０１を開閉させる開閉動作を行うことにより、ユーザーによる原稿カバー１０１の開閉作業を補助する補助機構６と、コンタクトガラスＣＧ上における原稿Ｄのセット状態を確認するための確認用画面３００をタッチスクリーン３１（表示デバイス）に表示させる制御部４と、を備える。制御部４は、補助機構６による開閉動作によって原稿カバー１０１が開けられた状態になっているとき、画像読取部１にコンタクトガラスＣＧの読み取り（開状態読取）を行わせ、開状態読取によって生成された画像データの画像に対応する表示用画像である開状態画像Ｇ１を生成し、開状態画像Ｇ１を含む画面を確認用画面３００としてタッチスクリーン３１に表示させる。
【００７９】
第１実施形態の構成では、タッチスクリーン３１に確認用画面３００が表示される。確認用画面３００には開状態画像Ｇ１が含められる。したがって、コンタクトガラスＣＧを上方から覗き込まなくても、コンタクトガラスＣＧ上における原稿Ｄのセット状態を確認することができる。これにより、車椅子使用者や低身長者などコンタクトガラスＣＧを上方から覗き込むことが困難なユーザーにとっては利便性が良い。
【００８０】
ここで、第１実施形態の構成では、複合機１００に補助機構６が設置される。補助機構６は、ユーザーによる原稿カバー１０１の開閉作業を補助するための機構である。したがって、補助機構６を利用するユーザーは車椅子使用者や低身長者である場合が多い。
【００８１】
そこで、第１実施形態の構成では、補助機構６による開閉動作によって原稿カバー１０１が開けられた状態になっているときだけ、開状態画像Ｇ１を生成するための読み取りが行われる。これにより、不必要な読み取りが行われるのを抑制することができる。
【００８２】
また、第１実施形態では、上記のように、制御部４は、補助機構６による開閉動作によって原稿カバー１０１が開けられた状態になっているとき、画像読取部１にコンタクトガラスＣＧの読み取り（開状態読取）を繰り返し行わせ、開状態読取によって画像データが生成されるごとに開状態画像Ｇ１を生成し、最新の開状態画像Ｇ１を含む確認用画面３００をタッチスクリーン３１に表示させる。これにより、コンタクトガラスＣＧ上における原稿Ｄの最新のセット状態を確認することができるので、ユーザーの利便性が向上する。
【００８３】
また、第１実施形態では、上記のように、制御部４は、補助機構６による開閉動作によって原稿カバー１０１が閉じられた状態になったとき、画像読取部１にコンタクトガラスＣＧの読み取り（閉状態読取）を行わせ、閉状態読取によって生成された画像データの画像に対応する表示用画像である閉状態画像Ｇ２を生成し、閉状態画像Ｇ２を含む画面を確認用画面３００としてタッチスクリーン３１に表示させる。ここで、原稿カバー１０１が閉じられるときには風圧が発生するので、コンタクトガラスＣＧ上の原稿Ｄのセット位置がずれる場合がある。このため、原稿カバー１０１が閉じられたときのコンタクトガラスＣＧ上における原稿Ｄのセット状態も確認できるようになっていれば、ユーザーの利便性がより向上する。
【００８４】
また、第１実施形態では、上記のように、原稿外画像Ｇ２２の色が黒色に変換されるので、原稿画像Ｇ２１と原稿外画像Ｇ２２との区別がつき易くなる。これにより、コンタクトガラスＣＧ上の原稿Ｄのセット位置が正しいか否かを一目で判別することができる。
【００８５】
また、第１実施形態では、上記のように、確認用画面３００に補助画像３０１が含められるので、コンタクトガラスＣＧ上の原稿Ｄが正しい位置からどの程度ずれているかを容易に知ることができる。また、コンタクトガラスＣＧ上の原稿Ｄを正しい位置に合わせ易くなる。
【００８６】
また、第１実施形態では、上記のように、開閉ボタン６４を操作するだけで、原稿カバー１０１を開閉させることができるので、ユーザーにとっては利便性が良い。
【００８７】
また、第１実施形態では、上記のように、操作パネル３のタッチスクリーン３１に確認用画面３００が表示されるので、確認用画面３００を表示するための表示装置を別途準備する必要がない。
【００８８】
（変形例）
以下に、第１実施形態の変形例について説明する。なお、変形例の基本的な構成は第１実施形態と同じである。このため、以下の説明では、第１実施形態と共通する構成要素には同じ符号を付し、その説明を省略する。
【００８９】
図１０に示すように、変形例では、原稿カバー１０１の側面に受け部１０２が設置される。また、変形例では、補正機構６に変えて、補正機構７が複合機１００に設置される。
【００９０】
補正機構７は、昇降部材７１を備える。昇降部材７１は、上下方向に移動可能に支持される。昇降部材７１の上端は受け部１０２に当接する。昇降部材７１の上端にコロ（図示せず）を回転可能に取り付け、当該コロを受け部１０２に当接させてもよい。
【００９１】
また、補正機構７は、ユーザーにより操作されるレバー７２を備える。レバー７２は、ギアなどを含む伝達機構７３を介して、昇降部材７１に連結される。昇降部材７１は、レバー７２の動きに連動して上下方向に移動する。伝達機構７３は、たとえば、ピニオンギアおよびラックギアを含む。ピニオンギアは、レバー７２が操作されると回転する。ラックギアは、上下方向に延伸するよう昇降部材７１に設置される。ピニオンギアおよびラックギアは互いに噛み合う。これにより、レバー７２が操作されることにより、昇降部材７１が上下方向に移動する。
【００９２】
補助機構７は、レバー７２を一方向に回す操作が行われると、開閉動作（開動作）として昇降部材７１を上昇させる動作を行う。また、補正機構７は、レバー７２を他方向に回す操作が行われると、開閉動作（閉動作）として昇降部材７１を下降させる動作を行う。
【００９３】
原稿カバー１０１が完全に閉じられた状態（図１０の上図に示す状態）から、昇降部材７１が上昇すると、昇降部材７１によって原稿カバー１０１が持ち上げられ、原稿カバー１０１が開方向に回動する。昇降部材７１の上昇が続けられると、最終的に、原稿カバー１０１が完全に開けられた状態（図１０の下図に示す状態）になる。
【００９４】
一方で、原稿カバー１０１が完全に開けられた状態（図１０の下図に示す状態）から、昇降部材７１が下降すると、昇降部材７１に追従して原稿カバー１０１が閉方向に回動する。昇降部材７１の下降が続けられると、最終的に、原稿カバー１０１が完全に閉じられた状態（図１０の上図に示す状態）になる。
【００９５】
制御部４は、昇降部材７１の上下方向の位置に基づき、原稿カバー１０１が閉じられた状態になっているか開けられた状態になっているかの判断を行う。当該判断を制御部４に行わせるため、補助機構７には昇降センサー７４が設けられる。
【００９６】
昇降センサー７４は、発光部および受光部を有する光センサーである。昇降センサー７４は、昇降部材７１に設置された検知片７５を検知対象とする。昇降センサー７４は、発光部と受光部との間の光路（検知領域）における検知片７５の有無に応じて出力値を変化させる。
【００９７】
昇降センサー７４は、第１センサー７４Ａおよび第２センサー７４Ｂを含む。第１センサー７４Ａおよび第２センサー７４Ｂは、上下方向に並ぶ。第１センサー７４Ａは第２センサー７４Ｂよりも上方に配置される。また、検知片７５は、第１検知片７５Ａおよび第２検知片７５Ｂを含む。
【００９８】
第１検知片７５Ａは、昇降部材７１の上端側に設置される。原稿カバー１０１が閉じられた状態になるまで昇降部材７１が下降すると、第１センサー７４Ａの光路が第１検知片７５Ａによって遮られる（図１０の上図参照）。このとき、第１センサー７４Ａの出力値は第１レベル（ＨレベルおよびＬレベルの一方）となる。この状態から昇降部材７１が上昇すると、第１センサー７４Ａの光路が開放され、第１センサー７４Ａの出力値が第１レベルから第２レベル（ＨレベルおよびＬレベルの他方）に変化する。
【００９９】
第２検知片７５Ｂは、昇降部材７１の第１検知片７５Ａの設置位置よりも下方の位置に設置される。原稿カバー１０１が開けられた状態になるまで昇降部材７１が上昇すると、第２センサー７４Ｂの光路が第２検知片７５Ｂによって遮られる（図１０の下図参照）。このとき、第２センサー７４Ｂの出力値は第１レベルとなる。この状態から昇降部材７１が下降すると、第２センサー７４Ｂの光路が開放され、第２センサー７４Ｂの出力値が第１レベルから第２レベルに変化する。
【０１００】
昇降ンサー７４は、制御部４に接続される。制御部４は、昇降センサー７４の出力値に基づき、原稿カバー１０１の開閉状態を判断する。
【０１０１】
図１０の上図に示す状態のとき、第１センサー７４Ａの出力値は第１レベルであり、第２センサー７４Ｂの出力値は第２レベルである。このとき、制御部４は、原稿カバー１０１が閉じられた状態になっていると判断する。
【０１０２】
図１０の上図に示す状態から、昇降部材７１が上昇すると、第１センサー７４Ａの出力値が第１レベルから第２レベルに変化する。上昇部材７１がさらに上昇し、図１０の下図に示す状態になると、第２センサー７４Ｂの出力値が第２レベルから第１レベルに変化する（第１センサー７４Ａの出力値は第２レベルである）。このとき、制御部４は、原稿カバー１０１が開けられた状態になっていると判断する。
【０１０３】
図１０の下図に示す状態から、上昇部材７１が下降すると、第２センサー７４Ｂの出力値が第１レベルから第２レベルに変化する（第１センサー７４Ａの出力値は第２レベルである）。このとき、制御部４は、ユーザーが閉操作を行っていると判断する。
【０１０４】
制御部４は、第１センサー７４Ａの出力値が第２レベルであり第２センサー７４Ｂの出力値が第１レベルのとき、補助機構７による開動作によって原稿カバー１０１が開けられた状態になっていると判断する。このとき、制御部４は、画像読取部１に開状態読取を行わせ、開状態読取で得られた画像データに基づき開状態画像Ｇ１を生成する。また、開状態画像Ｇ１を含む確認用画面３００を操作パネル３に表示させる。
【０１０５】
制御部４は、補助機構７による開動作によって原稿カバー１０１が開けられた状態になって以降、ユーザーが閉操作を行うまで、すなわち、第２センサー７４Ｂの出力値が第２レベルになるまで、画像読取部１に開状態読取を繰り返し行わせる。また、制御部４は、画像読取部１による開状態読取によって画像データが生成されるごとに開状態画像Ｇ１を生成し、最新の開状態画像Ｇ１を配した確認用画面３００を操作パネル３に表示させる。
【０１０６】
制御部４は、ユーザーが閉操作を行っていること（第２センサー７４Ｂの出力値が第２レベルになったこと）を検知すると、画像読取部１による開状態読取を終了する。それ以降、第１センサー７４Ａの出力値が第１レベルになったことを検知すると、補助機構７による閉動作によって原稿カバー１０１が閉じられた状態になったと判断する。このとき、制御部４は、画像読取部１に閉状態読取を行わせ、閉状態読取で得られた画像データに基づき閉状態画像Ｇ２を生成する。また、閉状態画像Ｇ２を含む確認用画面３００を操作パネル３に表示させる。
【０１０７】
変形例の構成では、第１実施形態と同様の効果を得ることができる。
【０１０８】
＜第２実施形態＞
以下に、第２実施形態のシステムについて説明する。なお、第２実施形態の基本的な構成は第１実施形態と同じである。このため、以下の説明では、第１実施形態と共通する構成要素には同じ符号を付し、その説明を省略する。
【０１０９】
第２実施形態では、図１１に示すように、無線通信部８が複合機１００に設けられる。無線通信部８は、ユーザー所有の電子機器２００との間で無線通信を行うための通信インターフェースである。電子機器２００は、たとえば、スマートフォンやタブレットコンピューターなどであり、タッチスクリーン２０１（「表示デバイス」に相当）を備える。
【０１１０】
無線通信部８は、無線通信用のコントローラーやアンテナを含む。無線通信部８は、制御部４に接続される。制御部４は、無線通信部８を用いて、電子機器２００との間で無線通信を行う。たとえば、Ｂｌｕｅｔｏｏｔｈ（登録商標）などの近距離無線通信規格を用いた通信が行われる。
【０１１１】
制御部４は、補助機構６による開動作によって原稿カバー１０１が開けられた状態になっているとき、無線通信部８を用いて、電子機器２００に対し、開状態画像Ｇ１を含む確認用画面３００を表示するための表示データを送信する。電子機器２００は、当該表示データを受信すると、開状態画像Ｇ１を含む確認用画面３００をタッチスクリーン２０１に表示する。
【０１１２】
また、制御部４は、補助機構６による閉動作によって原稿カバー１０１が閉じられた状態になったとき、無線通信部８を用いて、電子機器２００に対し、閉状態画像Ｇ２を含む確認用画面３００を表示するための表示データを送信する。電子機器２００は、当該表示データを受信すると、閉状態画像Ｇ２を含む確認用画面３００をタッチスクリーン２０１に表示する。
【０１１３】
第２実施形態では、ユーザー所有の電子機器２００に確認用画面３００を表示することができるので、原稿セット状態の確認を容易に行うことができる。
【０１１４】
第２実施形態の他の効果は、第１実施形態と同様である。
【０１１５】
今回開示された実施形態は、すべての点で例示であって、制限的なものではないと考えられるべきである。本発明の範囲は、上記実施形態の説明ではなく特許請求の範囲によって示され、さらに、特許請求の範囲と均等の意味および範囲内でのすべての変更が含まれる。
【０１１６】
たとえば、第１実施形態の構成と第２実施形態の構成とを組み合わせてもよい。これにより、操作パネル３のタッチスクリーン３１および電子機器２００のタッチスクリーン２０１の両方に確認用画面３００を表示させることができる。
【符号の説明】
【０１１７】
１  画像読取部
３  操作パネル
４  制御部
６、７  補助機構
１０  筐体
３１、２０１  タッチスクリーン（表示デバイス）
６１  開閉モーター（モーター）
６４  開閉ボタン
７１  昇降部材
７２  レバー
１００  複合機（画像形成装置）
１０１  原稿カバー
２００  電子機器
３００  確認用画面
３０１  補助画像
ＣＧ  コンタクトガラス
Ｄ  原稿
Ｇ１  開状態画像
Ｇ２  閉状態画像
【図１】
2020017845.tif 000003
【図２】
2020017845.tif 000004
【図３】
2020017845.tif 000005
【図４】
2020017845.tif 000006
【図５】
2020017845.tif 000007
【図６】
2020017845.tif 000008
【図７】
2020017845.tif 000009
【図８】
2020017845.tif 000010
【図９】
2020017845.tif 000011
【図１０】
2020017845.tif 000012
【図１１】
2020017845.tif 000013